(57)【要約】【課題】突発的に提示される情報のうちでも、利用者が必要とする情報を取捨選択して、無駄な記憶領域をとらずに情報を蓄積することが可能なテレビ受信機を提供する。【解決手段】利用者が一意に定めた閉領域を入力する機構を設け、該入力によって得られた閉領域情報を利用して、テレビ画像のうち閉領域内に含まれる部分画像を取り込む記憶装置を設ける。また、記憶装置に取り込んだ部分画像を再度利用者の操作によりテレビ画面に表示する表示装置を設ける。更に、放送事業者が放送するテレビ動画像の一部を静止画像として固定し、該画像を保持する記憶装置を設ける。【選択図】図１
2005039575.tif 000002
【特許請求の範囲】
【請求項１】
テレビ受信機のうち、利用者が一意に定めた閉領域を入力する機構を設け、該入力によって得られた閉領域情報を利用して、テレビ画像のうち閉領域内に含まれる部分画像を取り込む記憶装置を設けたことを特徴とするテレビ受信機。
【請求項２】
記憶装置に取り込んだ部分画像を再度利用者の操作によりテレビ画面に表示する表示装置を設けたことを特徴とする請求項１記載のテレビ受信機。
【請求項３】
放送事業者が放送するテレビ動画像の一部を静止画像として固定し、該画像を保持する記憶装置を設けたことを特徴とする請求項１記載のテレビ受信機。
【請求項４】
記憶装置に保持された静止画像に対して閉領域情報を適用し、該静止画像に含まれる閉領域内の部分画像を抜き出して蓄積する記憶装置を設けたことを特徴とする請求項３記載のテレビ受信機。
【発明の詳細な説明】
【技術分野】
【０００１】
本発明はテレビ放送を受信するテレビ受信機に関する。
【背景技術】
【０００２】
従来のテレビ受信機では、任意の画像を記録する方法として、テレビ受信機をビデオデッキなどの記憶装置に接続して、受信した映像、音声をビデオテープなどの記録媒体に記録する方法が一般的である。
【０００３】
また、画面の記録に特化したものではないが、画面単位で映像を蓄積する方式も存在している（例えば、特許文献１参照）。また、フレームメモリに対する画面単位の記憶という点でいえば、さまざまな既存の方式が存在する（例えば、特許文献２参照）。他、番組の間引き映像を蓄積する方式も存在する（例えば、特許文献３参照）。
【０００４】
上記技術により、利用者がテレビを視聴しているとき、突発的に流れる情報、たとえば懸賞の応募要綱や旅館の連絡先など、それがいつどのような形で流れるかわからない情報を記録することが可能である。
【特許文献１】特開平０７−１６２８１７号公報
【特許文献２】特開平０９−８３９２８号公報
【特許文献３】特開平０６−１０５２８０号公報
【発明の開示】
【発明が解決しようとする課題】
【０００５】
しかしながら、上記従来の技術では、突発的に流される情報を取得、蓄積する方法として画面の取り込みは有効な手段であるが、従来の画面を直接取得し記憶装置に蓄積するという手法では画面全体を取得するため、記憶容量の圧迫という面で効率的ではなかった。
【０００６】
また、画面全体を取り込むため、利用者にとっても必要でない情報まで取り込んでしまうという点も問題であった。
【課題を解決するための手段】
【０００７】
請求項１に記載のテレビ受信機は、利用者が画面上の任意の領域を指定することが可能な入力機構を備えたことを特徴とするテレビ受信機であり、放送事業者から送信される映像情報のうち、利用者が指定した領域の画像情報を記憶するための記憶機構を備えたことを特徴とするテレビ受信機であり、画像情報を蓄積する作用を有する。
【０００８】
また、請求項２に記載のテレビ受信機は、請求項１の構成において、記憶機構に蓄積された画像を再生する作用を有する。
【０００９】
また、請求項３に記載のテレビ受信機は、請求項１の構成において、放送事業者から送信される映像情報のうち、利用者が指定した映像を静止画像として保持する作用を有する。
【００１０】
また、請求項４に記載のテレビ受信機は、請求項３の構成において、静止画像から利用者が指定した領域を抜き出し、これを蓄積する作用を有する。
【００１１】
従って、本発明によれば、蓄積された画像は、後で利用者の操作により、表示装置を通じ再表示が可能であり、これにより突発的に表示される情報を記録し損ねることなく、かつ、不必要な情報を含まずに保持することができる。
【発明の効果】
【００１２】
本発明により、突発的に提示される情報のうちでも、利用者が必要とする情報を取捨選択することが可能になり、無駄な記憶領域をとらずに情報を蓄積することが可能となる。
【発明を実施するための最良の形態】
【００１３】
以下、本発明の実施形態の一例を図１および図２に示す。
【００１４】
本実施形態においては、利用者が領域を指定するためのインタフェースとしてタッチパネル１０１を用意した。タッチパネル１０１はテレビ画面１０７全体に設置されており、利用者の入力１０２をリアルタイムに受け付ける。
【００１５】
利用者の入力１０２は、まず利用者の指がタッチパネル１０１に触れた時点で入力が開始されたものとみなし、記憶装置１０３はその時点の静止画像１０４を保持しておき、利用者の入力１０２が完了するまでテレビ画面１０６に静止画像１０４の表示を継続するように構成されている。これにより、利用者の入力が遅い場合でも入力開始時の画面情報を保持しておくことが可能である。
【００１６】
取り込む領域１０５は、本実施形態では任意の閉領域を囲むように利用者が画面をなぞって入力１０２を行うことで得られる。これは閉領域を得ることが可能ならば、たとえばマウスやスタイラスペンによる領域の指定などにより代替してもよい。タッチパネル１０１は感圧式、電磁誘導式など多様な実装方法があるが既存の技術であり、ここでは詳細は記述しない。
【００１７】
また、別の実施例としては、まずリモコンなどの操作によりその時点の画像を静止画像１０４として記憶装置１０３に記憶し、利用者の入力１０２が完了するまでテレビ画面１０６に静止画像１０４の表示を継続するように実装を行い、そこから改めて利用者が入力１０２を行うようにしてもよい。
【００１８】
取り込む領域１０５の指定は、本実施例では任意の閉曲線をタッチパネル１０１に対して入力することで実現されている（２０１）が、例えば座標２点を指定し、それを対角とする矩形領域（２０２）あるいはそれに接する楕円領域を取り込む領域（２０３）としてもよい。また、タッチパネル１０１のような画面への直接操作を利用せず、リモコンなど遠隔操作による領域指定を行う場合も、２０２や２０３のような座標を指定することにより領域を指定する方法が有効である。具体的には、例えば画面上をリモコンに用意されたキー操作によって移動するカーソルを用意し、カーソルで座標を決めた後決定キー操作で点を固定し、この操作を２回繰り返すことで利用者が指で２点を指定するのと同様な機能を実装することが可能である。
【００１９】
いずれの実装でも、利用者の入力１０２によって、任意のテレビ映像１０４に含まれる任意の領域１０５を指定してやることが可能である。
【００２０】
利用者の入力１０２が完了すると、その入力結果である領域１０５は一つの閉領域としてみなされ、記憶装置１０３で保持された静止画像１０４のうち利用者の入力１０２からえられた領域１０５の部分のみが残され、記憶装置１０８にメモランダム１０６として保存される。以降、この繰り返しにより利用者は必要な情報を蓄積する。
【００２１】
図３にメモランダム３０３の再生の様子を示す。本実施形態ではメモランダムの再生にリモコン３０１を使用する。
【００２２】
図３において、利用者のリモコン３０１による入力３０３があった時点で、テレビ画面３０３に対して記憶されていたメモランダム３０４を表示する。これは本実施形態では複数のメモランダムを記録できるため、リモコン操作によって記憶装置３０５内にあるすべてのメモランダム３０４を順番に表示できるようにしてある。
【００２３】
なお、本実施形態ではメモランダムの再生操作にリモコン３０１を使用しているが、これをタッチパネルに対する操作や、マウスなどの操作系により置き換えてもかまわない。
【００２４】
また、本実施形態では単にメモランダム３０４をテレビ画面３０３上で再確認できるだけであるが、プリンタなどの外部接続装置に接続し、メモランダム３０４の内容を別メディアにコピーもしくは印字できるようにしてもよい。
【００２５】
また、蓄積した領域情報それぞれに対して、利用者が後からキーワードを付与できるようにしてもよい。キーワードと対応する領域情報（画像情報）に対して検索が行えるようにすることで、さらに蓄積した情報を容易に扱うことが可能になる。キーワードの種類としては、通常の文字列のほか、ＥＰＧ（電子プログラムガイド）から得られる番組情報の付加なども考えられる。これを用いれば、任意の画像情報からそれが放送された番組の名前、日時、概略などを取得することも可能になる。
【００２６】
また、本発明では、利用者が指定した領域を単に保存しておくだけの実装にとどめているが、ＯＣＲ（オンライン文字認識）技法により、領域内の文字情報などを抽出して利用してもよい。例えば、最近ではテレビ番組でもホームページアドレス（ＵＲＬ：Ｕｎｉｖｅｒｓａｌ  Ｒｅｓｏｕｒｃｅ  Ｌｏｃａｔｏｒ）を頻繁に表示するが、ＯＣＲ技法によりこのようなＵＲＬ文字列を抽出し、これをインターネットブラウザに与えることで自動的に利用者の指定した領域に含まれるＵＲＬ情報とそれに関連するホームページをインターネットブラウザで扱うなどの応用も考えられる。
【産業上の利用可能性】
【００２７】
本発明のメモランダム機能を有するテレビ受信機は、突発的に提示される情報のうちでも、利用者が必要とする情報を取捨選択することが可能になり、無駄な記憶領域をとらずに情報を蓄積することが可能となるため、静止画像を記録再生する記録再生機器等の用途にも適用できる。
【図面の簡単な説明】
【００２８】
【図１】本発明の実施の形態に係るテレビ受信機の構成を示す図
【図２】同実施の形態に係る領域入力の方法を示す図
【図３】同実施の形態に係るメモランダム再生の様子を示す図
【符号の説明】
【００２９】
１０１    タッチパネル
１０３、１０８、３０５    記憶装置
１０７、３０３    テレビ画面
３０１    リモコン
【図１】
2005039575.tif 000003
【図２】
2005039575.tif 000004
【図３】
2005039575.tif 000005